(57)【要約】【課題】清掃や点検を行う前と異なる型式の払出装置が遊技機に収納されることを防止する。【解決手段】筐体1に設置された払出装置5は、規格の共通する複数種の型式の内のいずれか１つであり、型式に応じて形状の異なる払出装置側継合部63を備える。筐体1の内部には、払出装置5の型式に応じて形状の異なる筐体側継合部70が設けられる。払出装置側継合部63及び筐体側継合部70は、両者の対応する払出装置5の型式が同一である場合には互いに継合し得るが、両者の対応する前記払出装置5の型式が相違する場合には互いに継合し得ない。払出装置5の筐体1への設置が行われる場合に、払出装置側継合部63が筐体側継合部70に継合するときには、払出装置5は筐体1の内部の所定位置に設置され、払出装置側継合部63が筐体側継合部70に継合しないときには、払出装置5は筐体1の内部における所定位置よりも正面開口部11側の位置に設置される。【選択図】図６
2012135562.tif 000002
【特許請求の範囲】
【請求項１】
正面側に開口する正面開口部を有する箱形の筐体と、
前記正面開口部を閉塞可能な前扉と、
前記筐体の内部の所定位置に取り出し可能に設置され、遊技媒体を払い出すことが可能な払出装置と、
を備えた遊技機であって、
前記払出装置は、規格の共通する複数種の型式の内のいずれか１つであり、型式に応じて形状の異なる払出装置側継合部を備え、
前記筐体の内部には、前記払出装置の型式に応じて形状の異なる筐体側継合部が設けられ、
前記払出装置側継合部及び前記筐体側継合部は、両者の対応する前記払出装置の型式が同一である場合には互いに継合し得るが、両者の対応する前記払出装置の型式が相違する場合には互いに継合し得ないように形成され、
前記筐体の内部への前記払出装置の設置が行われる場合において、当該払出装置の前記払出装置側継合部が当該筐体の前記筐体側継合部に継合するときには、当該払出装置は当該筐体の内部の所定位置に設置され、当該払出装置の前記払出装置側継合部が当該筐体の前記筐体側継合部に継合しないときには、当該払出装置は当該筐体の内部における所定位置よりも正面開口部側の位置に設置されることを特徴とする遊技機。
【請求項２】
前記払出装置側継合部及び前記筐体側継合部の対応する前記払出装置の型式が同一である場合には、前記払出装置が前記筐体の内部の所定位置に設置されることにより前記遊技機の電源装置に前記払出装置を電気的に接続することができ、
前記払出装置側継合部及び前記筐体側継合部の対応する前記払出装置の型式が相違する場合には、前記払出装置が前記筐体の内部における所定位置よりも正面開口部側の位置に設置されるために、前記遊技機の電源装置に前記払出装置を電気的に接続できないことを特徴とする請求項１記載の遊技機。
【請求項３】
前記払出装置は、前記筐体の底板に載置される台座と、前記台座に設けられて遊技媒体を貯留するタンクと、前記タンクに貯留された遊技媒体を送り出す送出装置とを備え、
前記払出装置側継合部は、前記台座に設けられ、
前記筐体側継合部は、前記筐体の前記底板に設けられたことを特徴とする請求項１または２記載の遊技機。
【請求項４】
前記払出装置が前記筐体の内部の所定位置に設置される場合には、前記前扉は前記正面開口部を閉塞し得るが、前記払出装置が前記筐体の内部における所定位置よりも正面開口部側の位置に設置される場合には、前記前扉は前記正面開口部を閉塞し得ないことを特徴とする請求項１、２または３記載の遊技機。
【請求項５】
前記払出装置には、前記払出装置が前記筐体の内部における所定位置よりも正面開口部側の位置に設置される場合に前記前扉が前記正面開口部を閉塞することを阻止する閉塞阻止部が設けられたことを特徴とする請求項４記載の遊技機。
【発明の詳細な説明】
【技術分野】
【０００１】
本発明は、遊技機に関し、さらに詳しくは、清掃や点検を行う前と異なる型式の払出装置が収納されることを防止する遊技機に関するものである。
【背景技術】
【０００２】
従来、メダルを遊技媒体としたスロットマシン等の遊技機には、その筐体の内部に払出装置が設置される。払出装置は、筐体の底板に載置される台座を備えており、この台座の上部には、複数のメダルを貯留可能なタンクが設けられる。また、タンクの下部には、メダルをタンク外に送り出すための送出装置が設けられている。
払出装置の清掃や点検を行う場合には、遊技機の前扉を開放し、筐体の底板のガイドレールに沿って払出装置を手前側に引き出すことにより、筐体から払出装置を取り出す。そして、払出装置を筐体に収納する場合には、ガイドレールに沿って筐体の内部に押し込むことにより、適正な位置に設置される（特許文献１参照）。
【先行技術文献】
【特許文献】
【０００３】
【特許文献１】特開２００７−２６７８８７号公報
【発明の概要】
【発明が解決しようとする課題】
【０００４】
ところで、工業製品を構成する部品においては、通常型式が異なっていても規格や仕様が共通であれば互換部品として使用でき、工業製品は正常に作動し性能も維持される。このように互換性のある部品を採用することにより不良品リスク、コスト削減、在庫管理などの様々な向上を図ることは、特に同一の製造社製品であれば公然の手法であり、これはスロットマシン等の遊技機にも当てはめることができる。
ところが、同一の製造社で製造され一見同一なスロットマシンであっても、風適法の７号営業（風俗営業等の規制及び業務の適正化等に関する法律第二条第一項第七号）にて定められる遊技場で使用する際は、機種毎に都道府県の公安委員会による検定を受け、機種毎に使用される部品型式は事細かく厳格に指定されており、基本的に互換部品の使用は認められない。そのため、遊技場で使用中のスロットマシンの故障や破損などにより部品を交換するにあたり、検定時と異なる型式の互換部品に取り替えることは、遊技機の作動や性能に全く問題なくても認められない。これに違反した場合、製造者や遊技場に公安委員会より厳しい処分がなされることがあった。
【０００５】
また、複数機種のスロットマシンを所有する遊技場においては、これらのスロットマシンから一斉に払出装置を取り出して清掃や点検を行い、その後一斉に払出装置をスロットマシンに収納する。このとき、異なる機種のスロットマシンの中には、異なる型式で共通な規格・仕様の払出装置を搭載して認可を受けたスロットマシンが共存することがある。このような場合に、スロットマシンから一斉に払出装置を取り出すと、異なる型式で共通な規格・仕様の払出装置が混在して、誤ってスロットマシンに検定時と異なる型式の払出装置を収納してしまうという問題があった。さらには払出装置を誤収納してもスロットマシンが正常に作動してしまうため、払出装置の誤収納を発見しにくいという問題があった。この払出装置の誤収納の問題は、製造現場において上述のような異なる機種のスロットマシンを同時に製造する場合にも同様に発生し得る。
【０００６】
そこで、本発明は、共通の規格・仕様だが異なる複数の型式が存在する払出装置を搭載するスロットマシンにおいて、作業者が筐体に払出装置を収容する際に型式の正誤を容易に判別できることを目的にする。
【課題を解決するための手段】
【０００７】
（請求項１）
請求項１に記載の発明は、
正面側に開口する正面開口部(11)を有する箱形の筐体(1)と、
前記正面開口部(11)を閉塞可能な前扉(3)と、
前記筐体(1)の内部の所定位置に取り出し可能に設置され、遊技媒体を払い出すことが可能な払出装置(5)と、
を備えた遊技機(S)であって、
前記払出装置(5)は、規格の共通する複数種の型式の内のいずれか１つであり、型式に応じて形状の異なる払出装置側継合部(63)を備え、
前記筐体(1)の内部には、前記払出装置(5)の型式に応じて形状の異なる筐体側継合部(70)が設けられ、
前記払出装置側継合部(63)及び前記筐体側継合部(70)は、両者の対応する前記払出装置(5)の型式が同一である場合には互いに継合し得るが、両者の対応する前記払出装置(5)の型式が相違する場合には互いに継合し得ないように形成され、
前記筐体(1)の内部への前記払出装置(5)の設置が行われる場合において、当該払出装置(5)の前記払出装置側継合部(63)が当該筐体(1)の前記筐体側継合部(70)に継合するときには、当該払出装置(5)は当該筐体(1)の内部の所定位置に設置され、当該払出装置(5)の前記払出装置側継合部(63)が当該筐体(1)の前記筐体側継合部(70)に継合しないときには、当該払出装置(5)は当該筐体(1)の内部における所定位置よりも正面開口部(11)側の位置に設置されることを特徴とする遊技機(S)に関するものである。
【０００８】
（請求項２）
請求項２に記載の発明は、請求項１に記載の発明の特徴に加え、
前記払出装置側継合部(63)及び前記筐体側継合部(70)の対応する前記払出装置(5)の型式が同一である場合には、前記払出装置(5)が前記筐体(1)の内部の所定位置に設置されることにより前記遊技機(S)の電源装置に前記払出装置(5)を電気的に接続することができ、
前記払出装置側継合部(63)及び前記筐体側継合部(70)の対応する前記払出装置(5)の型式が相違する場合には、前記払出装置(5)が前記筐体(1)の内部における所定位置よりも正面開口部(11)側の位置に設置されるために、前記遊技機(S)の電源装置に前記払出装置(5)を電気的に接続できないことを特徴とする遊技機(S)に関するものである。
【０００９】
（請求項３）
請求項３に記載の発明は、請求項１または２記載の発明の特徴に加え、
前記払出装置(5)は、前記筐体(1)の底板(15)に載置される台座(60)と、前記台座(60)に設けられて遊技媒体を貯留するタンク(8)と、前記タンク(8)に貯留された遊技媒体を送り出す送出装置とを備え、
前記払出装置側継合部(63)は、前記台座(60)に設けられ、
前記筐体側継合部(70)は、前記筐体(1)の前記底板(15)に設けられたことを特徴とする遊技機(S)に関するものである。
【００１０】
（請求項４）
請求項４に記載の発明は、請求項１、２または３記載の発明の特徴に加え、
前記払出装置(5)が前記筐体(1)の内部の所定位置に設置される場合には、前記前扉(3)は前記正面開口部(11)を閉塞し得るが、前記払出装置(5)が前記筐体(1)の内部における所定位置よりも正面開口部(11)側の位置に設置される場合には、前記前扉(3)は前記正面開口部(11)を閉塞し得ないことを特徴とする遊技機(S)に関するものである。
（請求項５）
請求項５に記載の発明は、請求項４に記載の発明の特徴に加え、
前記払出装置(5)には、前記払出装置(5)が前記筐体(1)の内部における所定位置よりも正面開口部(11)側の位置に設置される場合に前記前扉(3)が前記正面開口部(11)を閉塞することを阻止する閉塞阻止部(80)が設けられたことを特徴とする遊技機(S)に関するものである。
【発明の効果】
【００１１】
（請求項１）
請求項１記載の発明によれば、払出装置側継合部及び筐体側継合部の対応する払出装置の型式が相違する場合は、払出装置側継合部が筐体側継合部に継合できないため、払出装置を筐体の内部における所定位置よりも正面開口部側の位置にしか設置できないようになっている。これにより、払出装置の型式が清掃や点検を行う前と異なることを実行者に気付かせることが可能となり、したがって、清掃や点検を行う前と異なる型式の払出装置がスロットマシンに収納されることを防止できる。
（請求項２）
請求項２記載の発明によれば、請求項１記載の発明の効果に加え、次の効果を奏する。
【００１２】
すなわち、請求項２記載の発明によれば、払出装置側継合部及び筐体側継合部の対応する払出装置の型式が相違する場合は、遊技機の電源装置に払出装置を電気的に接続できないようになっている。これにより、払出装置の型式が清掃や点検を行う前と異なることを実行者に気付かせ易くなり、したがって、清掃や点検を行う前と異なる型式の払出装置がスロットマシンに収納されることを、より効果的に防止できる。
（請求項３）
請求項３記載の発明によれば、請求項１または２記載の発明の効果に加え、次の効果を奏する。
【００１３】
すなわち、請求項３記載の発明によれば、筐体側継合部は筐体の底板に設けられ、払出装置側継合部は筐体の底板に載置される台座に設けられる。これにより、払出装置側継合部及び筐体側継合部の対応する払出装置の型式が同一である場合に、払出装置側継合部と筐体側継合部とを継合させ易くなるため、払出装置の所定位置への設置が容易になる。
（請求項４、５）
請求項４または５記載の発明によれば、請求項１、２または３記載の発明の効果に加え、次の効果を奏する。
すなわち、請求項４または５記載の発明によれば、払出装置側継合部及び筐体側継合部の対応する払出装置の型式が相違する場合は、前扉を閉めて正面開口部を閉塞することができないようになっている。これにより、払出装置の型式が清掃や点検を行う前と異なることを実行者に気付かせ易くなり、したがって、清掃や点検を行う前と異なる型式の払出装置がスロットマシンに収納されることを、より効果的に防止できる。
【図面の簡単な説明】
【００１４】
【図１】第１の実施の形態に係るスロットマシンを示す正面図である。
【図２】第１の実施の形態に係るスロットマシンにおいて前扉を開放した状態を示す正面図である。
【図３】第１の実施の形態に係る払出装置を示す斜視図である。
【図４】第１の実施の形態に係るスロットマシンにおいて払出装置側継合部及び筐体側継合部の対応する払出装置の型式が同一である一例を示す概略図である。
【図５】第１の実施の形態に係るスロットマシンにおいて払出装置側継合部及び筐体側継合部の対応する払出装置の型式が同一である一例を示す概略図である。
【図６】第１の実施の形態に係るスロットマシンにおいて払出装置側継合部及び筐体側継合部の対応する払出装置の型式が相違する一例を示す概略図である。
【図７】第２の実施の形態に係る払出装置を示す斜視図である。
【図８】第２の実施の形態に係るガイドレール及び台板の一部を示す断面図である。
【図９】第２の実施の形態に係る台板について台座への固定の態様を説明する斜視図である。
【発明を実施するための形態】
【００１５】
本発明を実施するための形態を、図面を参照しつつ説明する。
なお、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
（第１の実施の形態）
（スロットマシンS）
本実施の形態に係るスロットマシンSは、遊技媒体としてメダルを用いて遊技が行われる。
【００１６】
スロットマシンSは、図２に示すように、正面側に開口する正面開口部11を有する箱形の筐体1を備えている。また、筐体1の正面には、筐体1の正面開口部11を開閉可能に閉塞する前扉3が設けられている。
（筐体1）
筐体1は、図２に示すように、底板15、左右の側板である左側板16Bと右側板16A、天板17及び背板18からなる正面側に開口する箱形に形成されている。また、筐体1における高さ方向略中央の位置には、中板12が略水平に設けられている。
底板15の上面には、各部品に電力を供給するための電源装置を内蔵した電源ユニット4が固定されている。また、電源ユニット4の前面には、電源のＯＮ／ＯＦＦの切り替えを行うための電源スイッチ、設定変更のＯＮ／ＯＦＦの切り替えを行うための設定キースイッチ、設定値を変更するための設定変更スイッチ、エラーを解除するためのリセットスイッチ等が設けられている。
【００１７】
また、底板15の上面には、内部にメダルを貯留するとともに、その貯留したメダルを受け皿43へ払い出すため払出装置5が設置されている。払出装置5は、規格の共通する複数種の型式の内から選択されて設置される。なお、底板15の上面における奥側の位置には、払出装置5の型式に応じて形状の異なる筐体側継合部70（図４参照）が設けられている。
背板18の上部には、基板ユニット24Aが設けられている。基板ユニット24Aは、ＣＰＵ、ＲＯＭ、ＲＡＭ、Ｉ／Ｏ等の電子部品を備えた基板を、基板ケースに収納したものである。そして、基板ユニット24Aは、スロットマシンSの遊技を制御するための遊技制御装置100として機能する。
【００１８】
中板12には、リールユニット22が設けられている。リールユニット22は、回転リール23と、回転リール23を回転駆動するステッピングモータとを、それぞれ３個ずつ備えている。各回転リール23は、合成樹脂からなる回転ドラムと、回転ドラムの周囲に貼付されるテープ状のリールテープとを備えている。このリールテープの外周面には、複数個（例えば２１個）の図柄が表示されている。
（前扉3）
前扉3は、筐体1の正面開口部11を開閉可能に閉塞するための扉である。前扉3は、筐体1の左側板16Bに蝶番によって回動自在に取り付けられている。
【００１９】
図１に示すように、前扉3における略中央の位置には、各回転リール23の図柄を正面側から見ることができる図柄表示窓31が備えられている。図柄表示窓31は、各回転リール23の図柄を３個ずつ表示可能となるように形成されている。
前扉3の上部には、液晶ディスプレイやＣＲＴ等の画像表示装置34が設けられている。画像表示装置34は、各当選役の図柄配列や遊技履歴等の情報の画像や、遊技の状態や当選役の抽選結果を報知する画像等を表示する。前扉3における画像表示装置34の周囲には、ランプ33が設けられている。ランプ33は、様々な点滅パターンで点滅することにより、遊技を盛り上げることができる。
【００２０】
前扉3における高さ方向略中央の位置には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるためのストップスイッチ54、及び、メダルを１枚ずつ投入するためのメダル投入口42が設けられている。
前扉3の下部には、スロットマシンS内からメダルを排出するためのメダル払い出し口41と、メダル払い出し口41から排出されたメダルを溜めておくための受け皿43とが形成されている。
【００２１】
図２に示すように、前扉3の裏面上部には、基板ユニット24Bが設けられている。基板ユニット24Bは、スロットマシンSの演出を制御するための演出制御装置300として機能する。また、前扉3の裏面上部及び下部には、種々のサウンドを出力するためのスピーカ35が２つずつ設けられている。
前扉3の裏面における高さ方向略中央の位置には、メダル投入口42から投入されたメダルを誘導しながら真贋で選別するためのメダルセレクター6が設けられている。また、前扉3の裏面には、メダルセレクター6の下方に開口し、メダル払い出し口41に連通するメダル排出部44が設けられている。
【００２２】
（払出装置5）
図３に示すように、払出装置5は、複数のメダルを貯留可能なタンク8を備え、このタンク8に貯留したメダルを受け皿43へ払い出すことができる。
払出装置5は、筐体1の底板15に載置される台座60を備えている。台座60は、上下方向に開口した略角筒状に形成されている。台座60上部に位置する上方開口縁部にタンク8の下部を嵌挿した状態で固定されている。
タンク8の下部には、タンク8内のメダルを１枚ずつ送り出す送出装置（図示せず）が設けられている。送出装置には、送り出すメダルを検出するための払い出しセンサー（図示せず）が備えられている。また、送出装置によってタンク8から送り出されたメダルは、メダル排出部44を通って受け皿43に払い出される。
【００２３】
台座60下部に位置する下方開口縁部61の左右には、前後方向を長手としたスライド部62がそれぞれ取り付けられている。ここで、底板15の上面には、前後方向を長手とした金属製のガイドレール19（図２参照）が左右に２本設けられている。スライド部62は、このガイドレール19に対応した形状になっている。払出装置5を底板15に設置する際には、スライド部62にガイドレール19を摺動させることにより、適切な位置に払出装置5を誘導することができる。なお、スライド部32は、台座60と一体に形成してもよい。
図４に示すように、下方開口縁部61における奥側の位置には、略矩形な平板状の払出装置側継合部63が設けられている。払出装置側継合部63は、奥側縁部の形状が払出装置5の型式に応じて異なるように形成されている。また、前述のように、筐体1の底板15の上面には、払出装置5の型式に応じて形状の異なる筐体側継合部70が設けらている。
【００２４】
払出装置側継合部63及び筐体側継合部70は、両者の対応する払出装置5の型式が同一である場合には互いに継合し得るが、両者の対応する払出装置5の型式が相違する場合には互いに継合し得ないように形成される。なお、本実施の形態では、払出装置側継合部63を台座60と一体に形成したが、台座60と別体に形成してもよい。
ここで、検定時に筐体1に型式Ａの払出装置5aを設置したものを例として、以下説明する。
払出装置5aは、型式Ａに対応した払出装置側継合部63（以下「型式Ａ払出装置継合部63a」という。）を備えている。図４に示すように、略矩形の型式Ａ払出装置側継合部63aの左半分には、手前側方向に窪んだ型式Ａ左凹部64が形成されている。また、型式Ａ払出装置側継合部63aの右半分には、奥側方向に突出した型式Ａ右凸部65が形成されている。
【００２５】
筐体1の底板15には、払出装置5aの型式Ａに対応した筐体側継合部70（以下「型式Ａ筐体側継合部70a」という。）が設けられている。略矩形の型式Ａ筐体側継合部70aの左半分には、手前側方向に突出した型式Ａ左凸部71が形成されている。この型式Ａ左凸部71は、型式Ａ払出装置側継合部63aの型式Ａ左凹部64に対応した形状となっている。また、型式Ａ筐体側継合部70aの右半分には、奥側方向に窪んだ型式Ａ右凹部72が形成されている。この型式Ａ右凹部72は、型式Ａ払出装置側継合部63aの型式Ａ右凸部65に対応した形状となっている。
そして、図５に示すように、払出装置5aが適正位置に位置する場合に、型式Ａ払出装置側継合部63aの型式Ａ左凹部64が型式Ａ筐体側継合部70aの型式Ａ左凸部71に嵌まり、型式Ａ払出装置側継合部63aの型式Ａ右凸部65が型式Ａ筐体側継合部70aの型式Ａ右凹部72に嵌まり、型式Ａ払出装置側継合部63aの奥側縁部66と型式Ａ筐体側継合部70aの手前側縁部73とが継ぎ合わさるようになっている。（型式Ａ払出装置側継合部63aの奥側縁部66と型式Ａ筐体側継合部70aの手前側縁部73とを識別しやすくするために、図５では両者が接していないように図示したが、実際には両者は継ぎ合わさっている。）
図３及び図５に示すように、払出装置5aの台座60における手前側の位置には、手前側方向に向けて突出した閉塞阻止部80が設けられている。前扉3が正面開口部11を閉塞している場合に、払出装置5aが筐体1の適正位置に位置するときには、閉塞阻止部80が前扉3に接触しないように形成されている。
【００２６】
電源ユニット4と払出装置5aとは、ワイヤーハーネス90により電気的に接続される。このワイヤーハーネス90は、一方のコネクタが電源ユニット4に装着された場合において、払出装置5aが筐体1において適正位置に設置されたときには、他方のコネクタ91を払出装置5aに装着できるが、払出装置5aが筐体1において適正位置よりも正面開口部11側の位置に設置されたときには、他方のコネクタ91を払出装置5aに装着できない長さに形成されている。
次に、払出装置側継合部63及び筐体側継合部70の対応する払出装置5の型式が同一である場合、例えば、「型式Ａ筐体側継合部70aを備えた筐体1」に「型式Ａの払出装置5a」を設置する場合について説明する。
【００２７】
左右のスライド部62をガイドレール19に挿入し、払出装置5aを筐体1の背板18方向に向けて押し込んでいくと、型式Ａ払出装置側継合部63aの奥側縁部66と型式Ａ筐体側継合部70aの手前側縁部73とが継ぎ合わさる（図５参照）。これにより、払出装置5aは筐体1における適正位置に設置される。
また、払出装置5aが筐体1における適正位置に位置するため、電源ユニット4に払出装置5aを電気的に接続することができる。つまり、電源ユニット4から延びるワイヤーハーネス90のコネクタ91を払出装置5aに装着することができる。
また、払出装置5aが筐体1における適正位置に位置することから、閉塞阻止部80が前扉3に接触しないため、開いた前扉3を閉じて正面開口部11を閉塞することができる。
【００２８】
次に、払出装置側継合部63及び筐体側継合部70の対応する払出装置5の型式が相違する場合、例えば、「型式Ａ筐体側継合部70を備えた筐体1」に「型式Ｂの払出装置5b」を設置する場合について説明する。
図６に示すように、払出装置5bは、型式Ｂに対応した払出装置側継合部63（以下「型式Ｂ払出装置継合部63b」という。）を備えている。略矩形の型式Ｂ払出装置側継合部63bの左半分には、奥側方向に突出した型式Ｂ左凸部67が形成されている。また、型式Ｂ払出装置側継合部の右半分には、手前側方向に窪んだ型式Ｂ右凹部68が形成されている。
そして、左右のスライド部62をガイドレール19に挿入し、払出装置5bを筐体1の背板18方向に向けて押し込んでいくと、型式Ｂ払出装置側継合部63bの型式Ｂ左凸部67が型式Ａ筐体側継合部70aの型式Ａ左凸部71に当接するものの、型式Ｂ払出装置側継合部63bの奥側縁部69と型式Ａ筐体側継合部70aの手前側縁部73とが継ぎ合わさらない。このとき、払出装置5は、筐体1における適正位置よりも正面開口部11側の位置する。つまり、払出装置5bを筐体1における適正位置に設置することができない。これにより、払出装置5bの型式が清掃や点検を行う前と異なることを実行者に気付かせることが可能となり、したがって、清掃や点検を行う前と異なる型式の払出装置5bがスロットマシンSに収納されることを防止できる。
【００２９】
また、払出装置5bが筐体1において適正位置よりも正面開口部11側に位置するため、電源ユニット4に払出装置5bを電気的に接続することができない。つまり、電源ユニット4から延びるワイヤーハーネス90のコネクタ91が払出装置5bに届かず装着できない。これにより、払出装置5bの型式が清掃や点検を行う前と異なることを実行者に気付かせ易くなり、したがって、清掃や点検を行う前と異なる型式の払出装置5bがスロットマシンSに収納されることを、より効果的に防止できる。
また、払出装置5bが筐体1において適正位置よりも正面開口部11側に位置することから、開いた前扉3を閉じようとしても前扉3が閉塞阻止部80に当接するため、前扉3を閉じることができない。これにより、払出装置5bの型式が清掃や点検を行う前と異なることを実行者に気付かせ易くなり、したがって、清掃や点検を行う前と異なる型式の払出装置5bがスロットマシンSに収納されることを、より効果的に防止できる。
【００３０】
また、筐体側継合部70は筐体1の底板15に設けられ、払出装置側継合部63は筐体1の底板15に載置される台座60に設けられる。そして、払出装置側継合部63及び筐体側継合部70の対応する払出装置5の型式が同一である場合には、払出装置5をガイドレール19に沿って筐体1の内部へ押し込んでいくと、払出装置側継合部63と筐体側継合部70とが継合するようになっている。これにより、払出装置5を筐体1における適正位置へ容易に設置することができる。
なお、検定時に筐体1に型式Ｂの払出装置5bを設置する場合には、特に図示しないが、筐体1の底板15には払出装置5bの型式Ｂに対応した筐体側継合部70（以下「型式Ｂ筐体側継合部」という。）が設けられる。略矩形の型式Ｂ筐体側継合部の左半分には、奥側方向に窪んだ型式Ｂ左凹部が形成されている。この型式Ｂ左凹部は、型式Ｂ払出装置側継合部63bの型式Ｂ左凸部67に対応した形状となっている。また、型式Ｂ筐体側継合部の右半分には、手前側方向に突出した型式Ｂ右凸部が形成されている。この型式Ｂ右凸部は、型式Ｂ払出装置側継合部63bの型式Ｂ右凹部68に対応した形状となっている。そして、払出装置5bが適正位置に位置する場合に、型式Ｂ払出装置側継合部63bの型式Ｂ左凸部67が型式Ｂ筐体側継合部の型式Ｂ左凹部に嵌まり、型式Ｂ払出装置側継合部63bの型式Ｂ右凹部68が型式Ｂ筐体側継合部の型式Ｂ右凸部に嵌まり、型式Ｂ払出装置側継合部63bの奥側縁部と型式Ｂ筐体側継合部の手前側縁部とが継ぎ合わさるようになっている。
【００３１】
以上のように、本実施の形態では、型式Ａの払出装置5aには型式Ａ筐体側継合部70aを用い、型式Ｂの払出装置5bには型式Ｂ筐体側継合部を用いる。つまり、払出装置5の型式に応じて別個の筐体側継合部70を形成することになる。本発明はこれに限られず、一の筐体側継合部70について対応する払出装置5の型式が筐体側継合部70の設置状態に応じて異なるように形成する、つまり一の筐体側継合部70について継合可能な払出装置側継合部63の型式が筐体側継合部70の設置状態に応じて異なるように形成してもよい。例えば、筐体側継合部70は、筐体1の底板15に表向きに設置した場合には型式Ａ筐体側継合部70aとして機能し、筐体1の底板15に裏向きに設置した場合には型式Ｂ筐体側継合部として機能するように形成されてもよい。このように一の筐体側継合部70を払出装置5の型式に応じて表裏で使い分けることにより、筐体側継合部70の種類を減らすことが可能となり、製造コストや在庫点数の削減を図ることができる。
【００３２】
なお、型式Ａの払出装置5aと型式Ｂの払出装置5bとは電気的仕様（動作電圧、電流仕様、コネクタ形状など）を同一とすることが望ましい。電気的仕様を同一にすることにより、払出装置5の変更の場合にスロットマシンSに電気的切り替え手段を必要とせず、払出装置側継合部63と筐体側継合部70の変更のみで済む。そして、何らかの手法でコネクタ91を接続して電気的接続を行えば、払出装置5を正常に作動させることができる。
（第２の実施の形態）
第２の実施の形態では、払出装置5の台座60の下部に台板100が設けられている。この台板100にスライド部102及び払出装置側継合部103が形成されている。また、第２の実施の形態では、台座60に閉塞阻止部80が設けられていないが、その他については第１の実施の形態とは共通である。
【００３３】
そこで、第２の実施の形態では、第１の実施の形態との相違点を中心に説明する。
（台板100）
図７に示すように、台座60の下部には、台板100が設けられている。台板100は、台座60が載置される平板状の載置部101と、ガイドレール19に緩嵌可能なスライド部102とを備えている。載置部101の横幅は、台座60の下方開口縁部61の横幅よりも僅かに大きく形成されている。そして、載置部101の上面に台座60を載せた状態で載置部101と台座60とが固定されている。載置部101における奥側の位置、具体的には、載置部101における台座60の下方開口縁部61よりも奥側の位置には、払出装置側継合部103が形成されている。
【００３４】
載置部101における左右の端部には、前後方向を長手としたスライド部102が形成されている。図８に示すように、本実施の形態のスライド部102は、断面略コ字状に形成されている。また、前述のように、筐体1の底板15には、前後方向を長手とした金属製のガイドレール19が左右に２本設けられている。ガイドレール19は、底板15の上面に固定された平板状のレール基部19aと、レール基部19aの上面に設けられた断面略Ｓ字状のレール段部19bとを備えている。
払出装置5を底板15に設置する際には、スライド部102の溝にレール段部19bを緩嵌させながら、スライド部102の下部にレール基部19aの上面を摺動させることにより、適正位置に払出装置5を誘導することができる。なお、本実施の形態に係る台座100は、載置部101とスライド部102とが一体に形成されているが、載置部101とスライド部102とが別体に形成されていてもよい。
【００３５】
払出装置5が筐体１における適正位置に位置する場合に、台板100は左右のガイドレール19に架け渡された状態となり、筐体1の底板15に接触しない。つまり、台板100と筐体1の底板15との間には間隙Cが形成されている。これにより、スロットマシンSを遊技場のいわゆる島などに固定する際に、底板15における払出装置5の真下の位置に下方から釘を打ったときに、底板15を貫通した釘の先端で払出装置5を傷付けずに済む。
なお、台板100（スライド部102と載置部101とを別体に形成した場合には、少なくともスライド部102）を金属によって形成することが望ましい。このように金属で形成すれば、払出装置5の送出装置（図示せず）と台板100（例えばスライド部102）とをアース線で結ぶことにより、スライド部102を載せたガイドレール19によって接地することも可能となる。
【００３６】
（払出装置側継合部103）
台板100は、表と裏とで払出装置側継合部103の対応する払出装置5の型式が異なるように形成されている。
具体的には、台座60に台板100を表向き（図７の左側の100）で取り付けた場合には、払出装置側継合部103は型式Ａ払出装置側継合部63aと同様に機能し、台座60に台板100を裏向き（図７の右側の100）で取り付けた場合には、払出装置側継合部103は型式Ｂ払出装置側継合部63bと同様に機能する。
詳述すると、型式Ａの払出装置5aの台座60に台板100を表向きで取り付けると、払出装置側継合部103の奥側縁部が前述の型式Ａ払出装置側継合部63aの奥側端部66（図４参照）と同様な形状となる。したがって、型式Ａ筐体側継合部70aの設けられた筐体1においては、払出装置側継合部103が型式Ａ筐体側継合部70aに継合できるため、型式Ａの払出装置5aを適正位置に設置できる。これに対し、型式Ｂ筐体側継合部の設けられた筐体1においては、払出装置側継合部103が型式Ｂ筐体側継合部に継合できないため、型式Ａの払出装置5aを適正位置に設置することができない。
【００３７】
型式Ｂの払出装置5bの台座60に台板100を表向きで取り付けると、払出装置側継合部103の奥側縁部が前述の型式Ｂ払出装置側継合部63bの奥側端部66（図６参照）と同様な形状となる。したがって、型式Ｂ筐体側継合部の設けられた筐体1においては、払出装置側継合部103が型式Ｂ筐体側継合部に継合できるため、型式Ｂの払出装置5bを適正位置に設置できる。これに対し、型式Ａ筐体側継合部70aの設けられた筐体1においては、払出装置側継合部103が型式Ａ筐体側継合部70aに継合できないため、型式Ｂの払出装置5bを適正位置に設置することができない。
以上のように、第２の実施の形態によれば、第１の実施の形態の効果に加え、次の効果を奏する。
【００３８】
すなわち、一の台板100（払出装置側継合部103）を払出装置5の型式に応じて表裏で使い分けることにより、台板100（払出装置側継合部103）の種類を減らすことが可能となり、製造コストや在庫点数の削減を図ることができる。
なお、払出装置5が筐体1における適正位置に位置する場合には、払出装置5が前扉3に接触しないように形成されており、開いた前扉3を閉じて正面開口部11を閉塞することができる。
また、払出装置5が筐体1において適正位置よりも正面開口部11側に位置する場合には、開いた前扉3を閉じていくと払出装置5（例えば、タンク8や台座60など）に当接するように形成されており、前扉3を閉じることができない。これにより、払出装置5の型式が清掃や点検を行う前と異なることを実行者に気付かせ易くなり、したがって、清掃や点検を行う前と異なる型式の払出装置5がスロットマシンSに収納されることを、より効果的に防止できる。
【００３９】
（他の実施の形態）
本発明は、上述した実施の形態に限定されるものではなく、本発明の目的を達成できる範囲における変形や改良も含むものである。
第１の実施の形態では、払出装置側継合部63を筐体側継合部70に継合させて払出装置5を筐体１における適正位置に設置した後に、ワイヤーハーネス90のコネクタ91を払出装置5に装着するようになっているが、以下のように形成してもよい。
例えば、払出装置5の背面及び筐体１の背板18にドロワーコネクタを設ける。払出装置5の筐体1への設置を行う場合に、払出装置側継合部63が筐体側継合部70に継合するのと同時に、払出装置5のコネクタが背板18のコネクタに嵌合して電気的に接続される。そして、払出装置側継合部63が筐体側継合部70に継合しないときは、払出装置5のコネクタも背板18のコネクタに嵌合せず、電気的な接続もなされないように形成してもよい。
【００４０】
また、第１の実施の形態では、ワイヤーハーネス90が基板（電源ユニット4）から延びて、コネクタ91を払出装置5に装着するように形成されているが、ワイヤーハーネス90が払出装置5から延びて、コネクタ91を基板（電源ユニット4）に装着するように形成されてもよい。そして、払出装置5の筐体1への設置を行う場合に、払出装置側継合部63が筐体側継合部70に継合する場合には、コネクタ91を基板（電源ユニット4）に装着することにより電気的な接続がなされ、払出装置側継合部63が筐体側継合部70に継合しない場合には、コネクタ91を基板（電源ユニット4）に装着できずに電気的な接続がなされないように形成されてもよい。
【符号の説明】
【００４１】
S   スロットマシン                    1   筐体
3   前扉                              5   払出装置
8   タンク                            11  正面開口部
15  底板
60  台座                              61  下方開口縁部
62  スライド部                        63  払出装置側継合部
64  型式Ａ左凹部                      65  型式Ａ右凸部
66  奥側縁部                          67  型式Ｂ左凸部
68  型式Ｂ右凹部
70  筐体側継合部                      71  型式Ａ左凸部
72  型式Ａ右凹部                      73  手前側縁部
80  閉塞阻止部
90  ワイヤーハーネス                  91  コネクタ
100 台板                              101 載置部
102 スライド部                        103 払出装置側継合部
【図１】
2012135562.tif 000003
【図２】
2012135562.tif 000004
【図３】
2012135562.tif 000005
【図４】
2012135562.tif 000006
【図５】
2012135562.tif 000007
【図６】
2012135562.tif 000008
【図７】
2012135562.tif 000009
【図８】
2012135562.tif 000010
【図９】
2012135562.tif 000011